(57)【要約】      （修正有）【課題】店舗のショッピングカートを使用せずに、精算済みの商品を駐車場の自動車または駐輪場の自転車まで運ぶ。【解決手段】上面が開口する箱状の籠本体の開口縁部に一対の把手１２を設け、籠本体の底板部１５にヒンジを介して回動可能にキャスタ１４を取り付けた断面矩形の棒状に形成された支持脚１３を設ける。この支持脚１３は、キャスタ１４を設けたキャスタ側面と、床面に接地する接地側面とを有し、キャスタ側面を下方に向けたキャスタ支持状態と、前記接地側面２７を下方に向けた支持脚支持状態とを択一的にとり得るようになっている。支持脚１３をキャスタ支持状態に保持し、内部に精算済みの商品を入れた籠本体のベルト２２を引っ張ることにより、キャスタ１４を転動させて駐車場の自動車、または駐輪場の自転車まで移動させることができる。【選択図】図１
0003132830.tif 000002
【実用新案登録請求の範囲】
【請求項１】
上面が開口する籠本体(１１)の開口縁部に一対の把手(１２)を設けた買い物籠において、
前記籠本体(１１)は、店内専用買い物籠が出し入れ可能な大きさであり、その籠本体(１１)の底面に断面矩形棒状の支持脚(１３)をヒンジ(２４)を介して回動可能に設け、
前記支持脚(１３)は、その一側面に前記ヒンジ(２４)を取り付け、そのヒンジ取り付け側面(２５)に対向しキャスタ（１４）を設けたキャスタ側面(２６)と、そのキャスタ側面(２６)に対して隣り合い床面に接地する接地側面(２７)とを有し、前記キャスタ側面(２６)を下方に向けたキャスタ支持状態と、前記接地側面(２７)を下方に向けた支持脚支持状態とを択一的にとり得るようになっており、
前記キャスタ支持状態で前記籠本体(１１)に前記支持脚(１３)を保持するキャスタ側面ロック手段と、前記支持脚支持状態で前記籠本体(１１)に前記支持脚(１３)を保持する接地側面ロック手段とを備えたことを特徴とする買い物籠。
【請求項２】
前記キャスタ側面ロック手段は、前記籠本体(１１)の底面に前記ヒンジ(２４)のヒンジ軸と平行にスライド可能に設けたラッチバー(４４)と、前記支持脚(１３)に設けたラッチ受け(４５)とからなり、前記キャスタ支持状態の前記支持脚(１３)のラッチ受け(４５)に前記ラッチバー(４４)が抜き差し可能に係合するものであり、
前記接地側面ロック手段は、前記籠本体(１１)の底面と前記支持脚(１３)とのいずれか一方に設けた係止突起(４６)と、他方に設け前記係止突起(４６)を係脱可能に受ける受け具(４８)とからなり、前記係止突起(４６)と受け具(４８)との係合により、前記籠本体(１１)の底面に前記支持脚支持状態の前記支持脚(１３)を保持することを特徴とする請求項１に記載の買い物籠。
【請求項３】
前記籠本体(１１)は、長方形状の底板部(１５)を有する箱状に形成されており、その開口縁部の長辺のそれぞれに、矩形のカバーシート(２０)の一端部を設けるとともに、その両カバーシート(２０)の他端部を面ファスナ(２１)により互いに着脱可能に設けたことを特徴とする請求項１または２に記載の買い物籠。
【請求項４】
前記カバーシート(２０)の一端部の一部を前記籠本体(１１)の開口縁部に対して着脱可能に設けたことを特徴とする請求項３に記載の買い物籠。
【請求項５】
前記籠本体(１１)にベルト(２２)を設けたことを特徴とする請求項１から４のいずれかに記載の買い物籠。
【考案の詳細な説明】
【技術分野】
【０００１】
この考案は、店舗で精算後の商品を持ち帰るための買い物籠に関するものである。
【背景技術】
【０００２】
一般に、スーパーマーケット等のショッピングセンターやコンビニエンスストアで買物をする際には、顧客は、まず、店内に備えつけの店内専用の買い物籠（以下、店内専用籠という。）に購入したい商品を入れ、それをレジスターのある支払いカウンターに持って行く。支払いカウンターでは、レジ係がこの店内専用籠内の商品をバーコードリーダで代金を順次読み込ませながら別の店内専用籠に移しかえ、すべての商品を移しかえた後に持ち帰り用の袋をその店内専用籠に入れ、顧客に対して合計された代金を請求する。
【０００３】
この代金を支払い終えた顧客は、移し替えられた店内専用籠を別のカウンターまで運んで、この店内専用籠から商品を取り出して持ち帰り用の袋に詰め、この袋を持ち帰るのが一般的である。
【０００４】
このように、顧客が購入するため店内専用籠に入れた商品をレジでの清算時にレジ係が別の店内専用籠に移しかえ、それをさらに顧客が持ち帰り用の袋に移しかえるという再度にわたる移しかえ作業は、面倒であるばかりか夕方の混雑時には、店内の渋滞を招くといった不都合があった。
【０００５】
また、顧客は、持ち帰った後に持ち帰り用の袋から中の商品を取り出してその後その袋は廃棄するのが通常であり、これが大量に廃棄されることとなると、ごみが増量し環境問題となるおそれがある。
【０００６】
このため、従来から、代金清算時にレジ係が顧客が持参した買い物籠に商品を直接移しかえて、顧客が移しかえ先の店内専用籠から持ち帰り用の袋へ商品を移しかえる手間を省くことを目的とした買い物籠が提案されている。
【０００７】
この買い物籠としては、例えば、実用新案登録第３１２２８５５号公報に記載のように、上面が開口する箱状の籠本体と、その籠本体の上面を覆うことが可能なカバーとからなる。籠本体はスーパーマーケット等において一般的に用いられている備え付けの店内専用籠と同種のものを利用可能であり、籠本体の上面を覆うカバーは、その上面と同じ形状となっており、籠本体に取り付けるためのフックを有するものである（実用新案登録第３１２２８５５号公報、図１参照）。
【考案の開示】
【考案が解決しようとする課題】
【０００８】
ところで、顧客が精算済みの商品を入れた従来の買い物籠を、駐車場の自動車または駐輪場の自転車まで運ぶ際、通常、店舗に設置されているショッピングカートに買い物籠を載せて運んでいた。このため、その商品を入れた買い物籠を自動車に積み込んだ後、そのショッピングカートを返却するために店舗の所定場所にまで移動させる必要があり、その移動が面倒であった。
【０００９】
そこで、この考案は、店舗のショッピングカートを使用せずに、精算済みの商品を駐車場の自動車または駐輪場の自転車まで運ぶことを課題とする。
【課題を解決するための手段】
【００１０】
上述の課題を解決するために、この考案は、上面が開口する籠本体の開口縁部に一対の把手を設けた買い物籠において、前記籠本体は、店内専用籠が出し入れ可能な大きさであり、その籠本体の底面に断面矩形の棒状の支持脚をヒンジを介して回動可能に設け、前記支持脚は、その一側面に前記ヒンジを取り付け、そのヒンジ取り付け側面に対向しキャスタを設けたキャスタ側面と、そのキャスタ側面に対して隣り合い床面に接地する接地側面とを有し、前記キャスタ側面を下方に向けたキャスタ支持状態と、前記接地側面を下方に向けた支持脚支持状態とを択一的にとり得るようになっており、前記キャスタ支持状態で前記籠本体に前記支持脚を保持するキャスタ側面ロック手段と、前記支持脚支持状態で前記籠本体に前記支持脚を保持する接地側面ロック手段とを備えた構成を採用したのである。
【００１１】
このようにすれば、買い物籠に入れた店内専用籠の中に商品を入れて、店内で買い物する際、あるいは商品の精算の際、支持脚を支持側面ロック手段により支持脚支持状態に保持させると、買い物籠が支持脚で支えられるので買い物籠が安定する。また、商品の精算後、支持脚をキャスタ側面ロック手段によりキャスタ支持状態に保持させると、その精算済みの商品を買い物籠に入れたまま、その買い物籠を引っ張ることによりキャスタが転動してその買い物籠を移動させることができる。
ここで、前記店内専用籠とは、スーパーマーケット等のショッピングセンター、コンビニエンスストアの店内に備え付けの上面の開口する矩形の底板部を有する箱状の店内専用のプラスチック製の買い物籠をいう。
【００１２】
また、前記キャスタ側面ロック手段は、前記籠本体の底面に前記ヒンジのヒンジ軸と平行にスライド可能に設けたラッチバーと、前記支持脚に設けたラッチ受けとからなり、前記キャスタ支持状態の前記支持脚のラッチ受けに前記ラッチバーが抜き差し可能に係合するものであり、前記接地側面ロック手段は、前記籠本体の底面と前記支持脚とのいずれか一方に設けた係止突起と、他方に設け前記係止突起を係脱可能に受ける受け具とからなり、前記係止突起と受け具との係合により、前記籠本体の底面に前記支持脚支持状態の前記支持脚を保持する構成を採用したのである。
【００１３】
この構成によると、キャスタ側面ロック手段では、支持脚のラッチ受けに差し込まれるラッチバーのスライド方向が、支持脚の回動する方向と直交するヒンジのヒンジ軸と平行となる方向であるので、買い物籠の移動中に支持脚に外力が加わった際、その支持脚が回動するのを確実に防止する。
【００１４】
また、接地側面ロック手段では、支持脚支持状態に支持脚を回動して、係止突起を受け具が受けることで係合するので、支持脚を回動させることにより、係止突起と受け具との係合あるいは脱離が容易となる。
【００１５】
また、買い物籠に入れた商品に雨や埃などから守るために、前記籠本体は、長方形状の底板部を有する箱状に形成されており、その開口縁部の長辺のそれぞれに、矩形のカバーシートの一端部を設けるとともに、その両カバーシートの他端部を面ファスナにより互いに着脱可能に設けるようにしてもよい。
【００１６】
さらに、その買い物籠に入れた商品の長さが長いために、その商品の一部が買い物籠の開口部から突き出していても、前記カバーシートの一端部の一部を前記籠本体の開口縁部に対して着脱可能に設ければ、そのカバーシートの一端部の一部を捲り上げた状態で、買い物籠の開口部をそのカバーシートで覆うことができる。
【００１７】
前記籠本体にベルトを設け、そのベルトを引っ張って精算後の商品を入れた買い物籠を駐車場の自動車または駐輪場の自転車にまで移動させるようにしてもよい。
【考案の効果】
【００１８】
以上のように、この考案は、精算後の商品を入れた籠本体をキャスタにより支持させた状態で移動することができるため、店舗に備え付けられたショッピングカートを使用せずに、駐車場の自動車または駐輪場の自転車にまで買い物籠を運ぶことができる。
【考案を実施するための最良の形態】
【００１９】
以下、この考案の実施形態を図１〜図８に示す。この実施形態の買い物籠１０は、図１に示すように、上面が開口する箱状の籠本体１１と、この籠本体１１の開口縁部に設けた一対の把手１２と、前記籠本体１１の底面にヒンジ２４を介して回動可能に設けた支持脚１３と、その支持脚１３に取り付けたキャスタ１４とを備えたものである。
【００２０】
前記籠本体１１は、長方形状の底板部１５の長辺から長側板部１６、１６が、短辺から短側板部１７、１７がそれぞれ上向きかつ外向きに、底面板１５と一体に設けられ、その上面が開口する箱状に形成されている。また、その籠本体１１の大きさは上述した店内専用籠が出し入れ可能な大きさとなっている（図８参照）。
【００２１】
この籠本体１１の底板部１５、長側板部１６及び短側板部１７の表面に、薄板状の補強板１８が縦及び横方向の網目状となるように設けられ、籠本体１１を補強している。その向かい合う長側板部１６、１６の間にかけ渡すように、コの字形の一対の把手１２、１２が回動可能に設けられている。
【００２２】
籠本体１１の向かい合う短側板部１７、１７は、その上方に持ち上げ用孔１９を有しており、その短側板部１７、１７の上端部には、矩形のカバーシート２０がそれぞれ固定され、さらに一方の短側板部１７の上端部には、引っ張って買い物籠１０を移動させるベルト２２が設けられる。
【００２３】
このカバーシート２０は、透明または半透明な材質で形成され、その表面にキャラクターの図柄や、幾何学模様などが印刷され、その印刷により籠本体１１内の商品の一部が外部から見えないようなっている。また、カバーシート２０の裏面の一端部及び他端部に面ファスナ２１が貼り付けられ、カバーシート２０を山折りするように半分に折り重ねると一端部及び他端部の面ファスナ２１、２１が互いに貼り合わされる（図７参照）。
【００２４】
また、一方のカバーシート２０表面の他端部にも面ファスナ２１が貼り付けられ、両カバーシート２０の他端部を互いに重ね合せると、一方のカバーシート２０表面の他端部の面ファスナ２１と他方のカバーシート２０裏面の他端部の面ファスナ２１とが互いに貼り合わされ、籠本体１１の上面の開口部を覆う（図８参照）。
【００２５】
籠本体１１の底板部１５は、図２に示すように、その下面（底面）の短辺寄りに矩形の当て板２３がそれぞれ固定されている。この各当て板２３の下面（底面）にヒンジ２４を介して支持脚１３が回動可能に取り付けられ、そのヒンジ２４のヒンジ軸が底板部１５の短辺と平行に配置されている。
【００２６】
前記各当て板２３は、図４（ａ）に示すように、その籠本体１１の底板部１５短辺側の端面中央部に切り欠き４１が形成される。その当て板２３の前記端面寄りの内部に、ヒンジ２４のヒンジ軸と平行な内面が円筒面のガイド穴４２が切り欠き４１を挟んで一直線状に形成される。
【００２７】
前記当て板２３の、切り欠き４１により分割された一方の前記端面に、ガイド穴４２と通じそのガイド穴４２の筒軸方向に開口する長孔４３が設けられる。そのガイド穴４２内には、長孔４３から突き出たつまみを有するラッチバー４４が設けられ、そのラッチバー４４がガイド穴４２内をヒンジ２４のヒンジ軸と平行にスライド可能となっている。
【００２８】
また、図５（ａ）に示すように、前記各当て板２３の前記端面に対向する端面に接して位置合せ片４７が籠本体１１の底板部１５に固定され、その位置合せ片４７の下面に下方に突き出る係止突起４６が固定される。
【００２９】
この当て板２３の下面に回動可能に取り付けられる支持脚１３は、図２（ａ）、（ｂ）に示すように、断面矩形の棒状に形成され、その長さが籠本体１１の底板部１５の短辺の長さとほぼ同じ長さとなっている。この支持脚１３の一側面にヒンジ２４が取り付けられ、ヒンジ２４が取り付けられた側面２５（以下、ヒンジ取り付け側面２５という）に対向する側面２６にキャスタ１４が支持脚１３の長さ方向の２箇所に設けられる。さらに、図２（ｂ）に示す状態において、このキャスタ１４が設けられた側面２６（以下、キャスタ側面２６という）に対して隣り合い、下方を向く側面が床面に接地する接地側面２７となっている。
【００３０】
前記支持脚１３のヒンジ取り付け側面２５には、筒体を有するラッチ受け４５が固定されている。このラッチ受け４５は、その筒体の筒軸方向がヒンジ軸と平行であり、図４（ｂ）に示すように、支持脚１３のキャスタ側面２６が下方に向いた状態（以下、キャスタ支持状態という）において、当て板２３の切り欠き４１に嵌り合う。このとき、ラッチ受け４５の筒体の筒軸方向と当て板２３のガイド穴４２の筒軸方向とが一致し、ガイド穴４２内のラッチバー４４がラッチ受け４５に抜き差し可能に係合する。
【００３１】
このように、ラッチバー４４とラッチ受け４５との係合により、籠本体１１の底板部１５に支持脚１３をキャスタ支持状態に保持可能となり、このキャスタ支持状態で保持する手段（以下、キャスタ側面ロック手段という）が、ラッチバー４４とラッチ受け４５とにより構成される。
【００３２】
前記支持脚１３のキャスタ側面２６には、図３に示すように、２個のキャスタ１４が取り付けられ、その各キャスタ１４は、車輪２８を転動可能に保持する二股のアーム２９に、その車輪２８の回転軸と直交する支持軸３０を固定したものである。
【００３３】
この支持軸３０は、アーム２９に対する固定部分が細くなっており、支持脚１３のキャスタ側面２６に設けた取り付け穴３１に、この支持軸３０が球状のボール３２を介して差し込まれる。
【００３４】
この取り付け穴３１は、底面（上面）に金属製の円板３４が固定されると共に、金属製の筒体３５の上端面が円板３４に突き当たった状態に嵌め合わせられる。これにより、この取り付け穴３１に入れたボール３２が、キャスタ１４が受ける荷重を受けた際、金属製の円板３４に当るため、取り付け穴３１の底面の凹みの発生を防止する。これと同様に、筒体３５がボール３２の転動によって取り付け穴３１の内側面が凹むのを防止する。
【００３５】
この取り付け穴３１に差し込まれた支持軸３０の小径部分に径方向両側から挟むように２枚の固定板３３が差し込まれ、ねじによりキャスタ側面２６に固定される。これにより、支持軸３０を回転中心としてキャスタ１４が旋回可能に設けられる。
【００３６】
また、前記支持脚１３のキャスタ側面２６には、図５（ａ）に示すように、キャスタ側面２６が下方に向いた状態において、２個のキャスタ１４の間にローラキャッチ４８が、その対のローラからなるキャッチ部をヒンジ軸に対して直交方向内向きに固定されている。そのローラキャッチ４８の外側に、キャスタ側面２６に対して起立するバンパ４９が固定される。このバンパ４９により、ローラキャッチ４８に何か物が当たるなどしてそれが破損するのを防止する。
【００３７】
このローラキャッチ４８は、図５（ｂ）に示すように、支持脚１３の接地側面２７を下方に向けた状態（以下、支持脚支持状態という）において、そのキャッチ部に前記係止突起４６が係脱可能に差し込まれる。このように、ローラキャッチ４８と係止突起４６との係合により、籠本体１１の底板部１５に支持脚１３を支持脚支持状態に保持可能となり、この支持脚支持状態で保持する手段（以下、接地側面ロック手段という）が、ローラキャッチ４８と係止突起４６とにより構成される。
【００３８】
以上のように、この実施形態の買い物籠１０は構成され、次にその使用方法を説明する。
まず、買い物籠１０に店内専用籠を入れ、その買い物籠１０を店内に備え付けのショッピングカートに載せ、または、買い物籠１０の把手１２を持つ。この買い物籠１０の支持脚１３を支持脚支持状態に回動させれば、ショッピングカート上で買い物籠１０が安定する（図６参照）。なおこの買い物籠１０の支持脚１３をキャスタ支持状態に回動させて、その買い物籠１０を引っ張れば、キャスタ１４が転動し買い物籠１０を引っ張って移動させながら店内を移動することができる（図７参照）。
【００３９】
次に、購入したい商品を買い物籠１０内の店内専用籠に入れ、その買い物籠１０をレジスターのある支払いカウンターに持って行く。支払いカウンターで、商品の入った店内専用籠を買い物籠１０から出し、支払いカウンター上の未精算商品置き場に、商品の入った店内専用籠を置き、精算済み商品置き場に買い物籠１０を置く。
【００４０】
この支払いカウンターでは、レジ係が店内専用籠内の商品をバーコードリーダで代金を順次読み込ませながら、買い物籠１０に移し替えて、全ての商品を移し替えた後、合計された代金を請求する。その請求代金を支払った後、精算済みの商品が入った買い物籠１０を持ち帰る。
【００４１】
このとき、精算済みの商品は、レジ係によって買い物籠１０内に移し替えられるため、一般に行われていたように、移し替えられた店内専用籠を別のカウンターまで運んで、この店内専用籠から商品を取り出して持ち帰り用の袋に詰め、この袋を持ち帰る必要がない。また、持ち帰り用袋が不要となるだけでなく、店内専用籠から持ち帰り用袋に精算済みの商品を移し替える作業が不要となり、精算済みの商品が入った買い物籠１０をすぐに持ち帰ることができる。
【００４２】
この買い物籠１０を持ち帰る際、図８に示すように、一対の把手１２、１２を互いに重ねた状態で、籠本体１１の両カバーシート２０を把手１２上に被せ、面ファスナ２１を互いに貼り合わせて、買い物籠１０の上面（開口部）を覆う。カバーシート２０で覆うことにより、買い物籠１０内の商品が雨で濡れたりや埃が付着したりすることを防止する。
【００４３】
続いて、図３に示すように、買い物籠１０の支持脚１３をキャスタ支持状態に保持にして、精算済みの商品を入れたまま、その買い物籠１０を引っ張り、キャスタ１４を転動させてその買い物籠１０を駐車場の自動車、または駐輪場の自転車まで移動させる。
【００４４】
この買い物籠１０を移動させた後、その支持脚１３を支持脚支持状態に回動させ、その状態で自動車のトランクや自転車の荷台に載せると、買い物籠１０が、自動車などの運転時に、キャスタ１４の転動により移動するのを防止することができる。
【００４５】
このように、従来、精算済みの商品を入れた買い物籠を駐車場の自動車などに移動する際使用していたショッピングカートを使用せずに、精算済みの商品を駐車場の自動車または駐輪場の自転車まで運ぶことが可能となる。また、商品を入れた買い物籠１０を自動車や自転車に載せた後は、店舗の所定場所に返却するために、ショッピングカートを移動させなくてもよい。
【図面の簡単な説明】
【００４６】
【図１】実施形態の買い物籠を示す斜視図
【図２】（ａ）同上のキャスタ支持状態の支持脚を下方より見た斜視図、（ｂ）同上の支持脚の支持状態を下方より見た斜視図
【図３】同上のキャスタ支持状態の支持脚を示す側面図
【図４】（ａ）同上のラッチバーとラッチ受けとの離脱状態を示す要部拡大斜視図、（ｂ）同上のラッチバーとラッチ受けとの係合状態を示す要部拡大斜視図
【図５】（ａ）同上のローラキャッチと係止突起との離脱状態を示す要部拡大斜視図、（ｂ）同上のローラキャッチと係止突起との係合状態を示す要部拡大斜視図
【図６】同上の買い物籠の要部拡大縦断面図
【図７】同上の買い物籠の使用状態を示す側面図
【図８】同上の買い物籠のカバーシートを使用した状態を示す斜視図
【符号の説明】
【００４７】
１０  買い物籠
１１  籠本体
１２  把手
１３  支持脚
１４  キャスタ
１５  底板部
１６  長側板部
１７  短側板部
１８  補強板
１９  持ち上げ用孔
２０  カバーシート
２１  面ファスナ
２２  ベルト
２３  当て板
２４  ヒンジ
２５  ヒンジ取り付け側面
２６  キャスタ側面
２７  接地側面
２８  車輪
２９  アーム
３０  支持軸
３１  取り付け穴
３２  ボール
３３  固定板
３４  円板
３５  筒体
４１  切り欠き
４２  ガイド穴
４３  長孔
４４  ラッチバー
４５  ラッチ受け
４６  係止突起
４７  位置合せ片
４８  ローラキャッチ
４９  バンパ
【図１】
0003132830.tif 000003
【図２】
0003132830.tif 000004
【図３】
0003132830.tif 000005
【図４】
0003132830.tif 000006
【図５】
0003132830.tif 000007
【図６】
0003132830.tif 000008
【図７】
0003132830.tif 000009
【図８】
0003132830.tif 000010